【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
開ループ多重入力多重出力（ＭＩＭＯ）システム内の送信機における送信ダイバーシティ方法であって、
現在のランクが１の場合には、空間時間ブロックコードおよび空間周波数ブロックコードのうちの１つを用いて２つのデータストリームを生成し、前記現在のランクが２以上である場合には、空間マルチプレクシングを行うことによって前記現在のランクと同数のデータストリームを生成することと、
前記現在のランクが１である場合には、行列からの２つの列ベクトルに前記２つのデータストリームを掛け、前記現在のランクが２以上である場合には、前記現在のランクと同数の前記行列からの列ベクトルに前記現在のランクと同数のデータストリームを掛けることと
を含む、方法。
【請求項２】
前記行列は、閉ループＭＩＭＯに対して定義されたコードブックのサブセットから選択される、請求項１に記載の送信ダイバーシティ方法。
【請求項３】
前記行列はユニタリー行列であり、前記行列からの各列ベクトルは、Ｎｔ×１の次元を有し、Ｎｔは送信アンテナの数である、請求項２に記載の送信ダイバーシティ方法。
【請求項４】
前記２つの列ベクトルは、前記現在のランクが１および２のうちの１つである場合に、前記行列からの最初の２つの列ベクトルである、請求項２または３に記載の送信ダイバーシティ方法。
【請求項５】
前記現在のランクと同数の列ベクトルに前記現在のランクと同数のデータストリームを掛けることは、前記現在のランクが３である場合には、前記行列からの最初の３つの列ベクトルに３つのデータストリームを掛け、前記現在のランクが４である場合には、前記行列からの最初の４つの列ベクトルに４つのデータストリームを掛けることを含む、請求項２または３に記載の送信ダイバーシティ方法。
【請求項６】
前記行列は、前記現在のランクに従って、リソースインデックスによって決定される、請求項２または３に記載の送信ダイバーシティ方法。
【請求項７】
前記行列は、不連続的に割り当てられた物理リソースユニットに従って変更される、請求項２に記載の送信ダイバーシティ方法。
【請求項８】
前記現在のランクが１または２である場合に、前記行列からの前記２つの列ベクトルが適用される２つのパイロットストリームを受信機に送信することをさらに含む、請求項２に記載の送信ダイバーシティ方法。
【請求項９】
分散されたリソースユニットにおいて、２つのパイロットストリームのみを受信機に送信することをさらに含む、請求項２に記載の送信ダイバーシティ方法。
【請求項１０】
受信機に２つのパイロットストリームを送信すること、または、４つのパイロットストリームを送信することをさらに含む、請求項２に記載の送信ダイバーシティ方法。
【請求項１１】
開ループ多重入力多重出力（ＭＩＭＯ）システム内で送信機ダイバーシティを行う送信機であって、
該送信機は、
現在のランクが１の場合には、空間時間ブロックコードおよび空間周波数ブロックコードのうちの１つを用いて２つのデータストリームを生成し、前記現在のランクが２以上である場合には、空間マルチプレクシングを行うことによって前記現在のランクと同数のデータストリームを生成するＭＩＭＯエンコーディングブロックと、
前記現在のランクが１である場合には、行列からの２つの列ベクトルに前記２つのデータストリームを掛け、前記現在のランクが２以上である場合には、前記現在のランクと同数の前記行列からの列ベクトルに前記現在のランクと同数のデータストリームを掛ける行列ブロックと
を含む、送信機。
【請求項１２】
前記行列ブロック内の前記行列は、閉ループＭＩＭＯに対して定義されたコードブックのサブセットから選択される、請求項１１に記載の送信機。
【請求項１３】
前記行列はユニタリー行列であり、前記行列からの各列ベクトルは、Ｎｔ×１の次元を有し、Ｎｔは送信アンテナの数である、請求項１２に記載の送信機。
【請求項１４】
前記２つの列ベクトルは、前記現在のランクが１および２のうちの１つである場合に、前記行列からの最初の２つの列ベクトルであり、
前記行列ブロックは、前記現在のランクが３である場合には、前記行列からの最初の３つの列ベクトルに３つのデータストリームを掛け、前記現在のランクが４である場合には、前記行列からの最初の４つの列ベクトルに４つのデータストリームを掛ける、請求項１２または１３に記載の送信機。
【請求項１５】
前記行列は、前記現在のランクに従って、リソースインデックスによって決定される、請求項１２または１３に記載の送信機。
【手続補正２】
【補正対象書類名】明細書
【補正対象項目名】００２２
【補正方法】変更
【補正の内容】
【００２２】
好適には、上記転送ダイバーシティ方法は、パイロットを２つのストリームに対してのみ転送するか或いは４つのストリームに対してのみ転送するするかを選択する過程をさらに含むことができる。
例えば、本発明は以下の項目を提供する。
（項目１）
多重アンテナシステムにおける転送ダイバーシティ方法であって、
リソースインデックス及び現在ランクによって、所定の行列から列ベクトルを選択し、
上記選択された列ベクトルを転送シンボルにかけること
を含む、転送ダイバーシティ方法。
（項目２）
上記列ベクトルのかけられた転送シンボルに、循環遅延ダイバーシティ大角行列をかけることをさらに含む、項目１に記載の転送ダイバーシティ方法。
（項目３）
上記列ベクトルを選択するステップは、
上記現在ランクが１または２であれば、上記行列から２個の列ベクトルを選択することを含む、項目１に記載の転送ダイバーシティ方法。
（項目４）
上記列ベクトルを選択するステップは、
上記現在ランクが３であれば、上記行列から３個の列ベクトルを選択し、上記現在ランクが４であれば、上記行列から４個の列ベクトルを選択することを含む、項目１に記載の転送ダイバーシティ方法。
（項目５）
上記転送シンボルは、上記現在ランクが１の場合、空間時間ブロックコード変調シンボルまたは空間周波数ブロックコード変調シンボルのうちのいずれかである、項目１に記載の転送ダイバーシティ方法。
（項目６）
上記転送シンボルは、上記現在ランクが２以上である場合、空間マルチプレクシングが適用された独立シンボルである、項目１に記載の転送ダイバーシティ方法。
（項目７）
上記行列は、不連続的に割り当てられた物理リソースユニットの構造によって変更される、項目１に記載の転送ダイバーシティ方法。
（項目８）
開ループ（Ｏｐｅｎ−Ｌｏｏｐ）ＭＩＭＯシステムにおける転送ダイバーシティ方法であって、
現在ランクが１の場合、空間時間ブロックコードまたは空間周波数ブロックコードのうちのいずれかを用いてデータストリームを生成し、上記現在ランクが２以上である場合、空間マルチプレクシングを適用してデータストリームを生成し、
リソースインデックスによって定められる行列から、現在ランクによって列ベクトルを選択し、
上記選択された列ベクトルを上記データストリームにかけること
を含む、転送ダイバーシティ方法。
（項目９）
上記列ベクトルのかけられたデータストリームに循環遅延ダイバーシティ大角行列をかけることをさらに含む、項目８に記載の転送ダイバーシティ方法。
（項目１０）
上記列ベクトルを選択するステップは、
上記現在ランクが１または２であれば、上記行列から２個の列ベクトルを選択することを含む、項目８に記載の転送ダイバーシティ方法。
（項目１１）
上記列ベクトルを選択するステップは、
上記現在ランクが３であれば、上記行列から３個の列ベクトルを選択し、上記現在ランクが４であれば、上記行列から４個の列ベクトルを選択することを含む、項目８に記載の転送ダイバーシティ方法。
（項目１２）
上記行列は、不連続的に割り当てられた物理リソースユニットの構造によって変更される、項目８に記載の転送ダイバーシティ方法。
（項目１３）
上記現在ランクによってパイロットを選択的に転送することをさらに含む、項目８に記載の転送ダイバーシティ方法。
（項目１４）
分散リソースユニットに転送されるパイロットは、２つのデータストリームに対してのみ転送することをさらに含む、項目８に記載の転送ダイバーシティ方法。
（項目１５）
パイロットを２つのデータストリームに対して転送するか、或いは、４つのデータストリームに対して転送するかを選択することをさらに含む、項目８に記載の転送ダイバーシティ方法。